(57)【要約】【課題】容器本体の安定性を向上させ、内容物の液もれを防止する。【解決手段】本発明は、ボタン出没式ディスペンサー容器に関し、回転体の回転によるボタン部の昇降の時に、容器本体は、固定された状態で、ボタン部だけ昇降する構造で構成することにより、製品の安定性を向上させることができるだけでなく、容器本体を単容器で構成することにより、製品の単価を下げることができる。【選択図】図３
2018528906.tif 000002
【特許請求の範囲】
【請求項１】
内容物を貯蔵し、上部に排出部を具備する容器本体と、
前記容器本体の上部に位置し、ポンピング作用を介して、内容物を外部に吐出させるポンピング部材と、
前記排出部に結合し、外周面両側に対応する一対の螺旋形溝が形成される固定体と、
前記ポンピング部材上部に結合し、ユーザー加圧による圧力を前記ポンピング部材に伝達して、前記ポンピング部材のポンピング作用をガイドし、前記ポンピング部材のポンピング作用によって内容物が上部に移動するように内容物移動ホールが形成されたポンピングガイド部材と、
前記容器本体の上部から前記固定体を包んで回転できるように結合し、中空が形成され、内周面に長さ方向に垂直ガイド溝が形成される回転体と、
前記ポンピングガイド部材を包んで位置し、前記回転体の回転によって昇降するように、外周面両側に前記螺旋形溝及び前記垂直ガイド溝に挿入されるガイド突起が形成され、前記内容物移動ホールと連通する連通ホールが形成された昇降部材と、そして、
前記昇降部材を包んで結合して、前記昇降部材と一緒に移動し、内容物を外部に吐出するように、側面に内容物吐出口を具備するボタン部と、を含むこと、
を特徴とするボタン出没式ディスペンサー容器。
【請求項２】
前記ボタン部が上昇した状態で、ボタン部圧及び加圧解除により、前記ガイド突起が昇降するように、前記螺旋形溝の上死点から下方向に延長されるポンピングガイド溝が形成されること、
を特徴とする請求項１に記載のボタン出没式ディスペンサー容器。
【請求項３】
前記昇降部材には、前記連通ホールを介して吐出する内容物を、前記内容物吐出口に移動するように、側面長さ方向に沿って内容物移動溝が形成されること、
を特徴とする請求項１に記載のボタン出没式ディスペンサー容器。
【請求項４】
前記昇降部材は、その内部上側に、前記ポンピングガイド部材を加圧する加圧突起を具備し、
前記ポンピングガイド部材は、前記加圧突起によって加圧される加圧板を具備し、
前記加圧突起は、前記昇降部材が最後まで上昇した状態で、前記加圧板の上端に停止し、ユーザーのボタン部加圧による圧力を前記ポンピングガイド部材に伝達するように構成されること、
を特徴とする請求項３に記載のボタン出没式ディスペンサー容器。
【請求項５】
前記ポンピングガイド部材は、前記ポンピング部材の上部に結合して、内容物を移動させる内容物移動管を具備し、
前記ポンピングガイド部材の加圧板内側には、前記内容物移動管と前記内容物移動ホールを連結させるように内容物移動通路が形成されること、
を特徴とする請求項４に記載のボタン出没式ディスペンサー容器。
【請求項６】
前記回転体の回転によって前記ボタン部が下降する過程で、前記ポンピングガイド部材の外周面と前記昇降部材の内周面が形成する空間が拡大されることにより、前記内容物吐出口の先端部に残留する内容物の吸入が行われるように構成されること、
を特徴とする請求項１に記載のボタン出没式ディスペンサー容器。
【請求項７】
前記ボタン部の下端両側には、前記昇降部材と結合する結合突起を具備し、
前記昇降部材には前記結合突起と結合する結合溝が形成されること、
を特徴とする請求項１に記載のボタン出没式ディスペンサー容器。
【発明の詳細な説明】
【技術分野】
【０００１】
本発明は、ボタン出没式ディスペンサー容器に関し、より詳細には、回転体の回転によるボタン部の昇降の時に、容器本体は固定された状態で、ボタン部だけ昇降する構造で構成することにより、製品の安定性を向上させることができるだけでなく、容器本体を単容器で構成することにより、製品の単価を下げることができるボタン出没式ディスペンサー容器に関する。
【背景技術】
【０００２】
一般的にディスペンサー（Dispenser）というのは、気体や液体またはその他内容物を充填した密閉容器の上側に結合し、加圧によって内部の内容物を一定量ずつ噴出させて使用するようにする装置として、化粧品や香水または医薬品や食品などを貯蔵する各種密閉容器に適用されている。
【０００３】
このようなディスペンサー容器は、内容物を収容する容器本体と、前記容器本体の上部に結合し、容器本体の内部に真空状態を作って、ポンピング作用によって内容物を引き上げるポンピング部材と、前記ポンピング部材の上部に位置して、ユーザー加圧によって昇降し、ポンピング部材に圧力を伝達するボタン部材で構成されるものであって、ボタン部材を加圧する場合、ポンピング部材のポンピング作用が行われて内容物を排出するように構成され、容器をカバンに携帯して移動する場合、ユーザーが意図しない状態で、ボタン部材が加圧されて、内容物の不必要な排出が惹起される問題があった。
【０００４】
前記のような問題点を解決するために、内容物の使用の時にだけ、ボタンを外部に露出するように構成された「出没式化粧品容器」が大韓民国登録実用新案第２０−０３４７８１１号（以下、「特許文献１」とする。）に開示されている。
【０００５】
特許文献１は、ボタンの押し作動によって、容器に貯蔵された内容物を排出させる容器と、前記容器の外部に位置する外部容器のガイド孔に位置したポンプ体のガイド突起が回転管体の螺旋形溝に沿って案内され、ポンプ体に装着されたボタンが回転管体から出没される化粧品容器において、外部容器３０の上部に両側へ螺旋形溝１０１を有する案内管体１００がアンダーカット装着され、この案内管体１００の螺旋形溝１０１にポンプ体１０に形成されているガイド突起１１が貫通し結合され、前記案内管体１００の螺旋形溝１０１に貫通されたポンプ体１０のガイド突起１１末端が位置する垂直案内溝２０１を内面両側に形成している回転管体２００が、前記案内管体１００の外部に被られてアンダーカット装着され、前記ポンプ体１０のステム２４にボタン２０が装着されていることが特徴である。
【０００６】
特許文献１は、回転管体２００の回転によってボタン２０が昇降し、回転管体２００から出没するように構成するものであり、使用の時にだけ、ボタン２０を上昇させて使用することができるので、保管の時にユーザーが意図しない状態で、ボタン２０が加圧されて内容物の不必要な排出が惹起される問題点を解消することはできるが、ボタン２０が昇降する過程で、外部容器３０に収容された容器２が一緒に昇降する構造なので、二重容器構造による製品の単価上昇をもたらすだけでなく、容器２が上昇した状態で、ユーザーの不注意で落とされる場合、内容物を貯蔵した容器２の重さによって、容器２の脱離現象など製品不良が発生する問題があった。
【先行技術文献】
【特許文献】
【０００７】
【特許文献１】大韓民国登録実用新案第２０−０３４７８１１号公報
【発明の概要】
【発明が解決しようとする課題】
【０００８】
本発明は、上述した問題点を解決するために考案されたものであり、本発明の目的は、回転体の回転によるボタン部の昇降の時に、容器本体は固定された状態で、ボタン部だけ昇降する構造で構成することにより、製品の安定性を向上させることだけでなく、容器本体を単容器で構成することにより、製品の単価を下げることができるボタン出没式ディスペンサー容器を提供するものである。
【０００９】
また、回転体の回転によりボタン部が下降する過程で、ポンピングガイド部材の外周面と昇降部材の内周面が形成する空間が拡大されることによって、ボタン部の吐出口先端部に残留する内容物の吸入が行われるように構成することにより、内容物の液もれを防止することができるボタン出没式ディスペンサー容器を提供する。
【課題を解決するための手段】
【００１０】
前記のような問題点を解決するために、本発明に係るボタン出没式ディスペンサー容器は、内容物を貯蔵し、上部に排出部を具備する容器本体と、
前記容器本体の上部に位置してポンピング作用を介して、内容物を外部に吐出させるポンピング部材と、
前記排出部に結合され、外周面両側に対応する一対の螺旋形溝が形成された固定体と、
前記ポンピング部材上部に結合し、ユーザー加圧による圧力を、前記ポンピング部材に伝達して前記ポンピング部材のポンピング作用をガイドし、前記ポンピング部材のポンピング作用によって内容物を上部に移動するように、内容物移動ホールが形成されるポンピングガイド部材と、
前記容器本体の上部から、前記固定体を包んで回転できるように結合し、中空が形成され、内周面に長さ方向に垂直ガイド溝が形成される回転体と、
前記ポンピングガイド部材を包んで位置し、前記回転体の回転によって昇降するように、外周面両側に前記螺旋形溝及び前記垂直ガイド溝に挿入されるガイド突起が形成され、前記内容物移動ホールと連通する連通ホールが形成された昇降部材と、
前記昇降部材を包んで結合して、前記昇降部材と一緒に移動し、内容物を外部に吐出するように、側面に内容物吐出口を具備するボタン部と、を含むことを特徴とする。
【００１１】
また、前記ボタン部が上昇した状態で、ボタン部加圧及び加圧解除により、前記ガイド突起が昇降するように、前記螺旋形溝の上死点から下方向に延長されるポンピングガイド溝が形成されることを特徴とする。
【００１２】
また、前記昇降部材には、前記連通ホールを介して、吐出する内容物を前記内容物吐出口に移動するように、側面長さ方向に沿って内容物移動溝が形成されることを特徴とする。
【００１３】
また、前記昇降部材は、その内部上側に、前記ポンピングガイド部材を加圧する加圧突起を具備し、前記ポンピングガイド部材は、前記加圧突起によって加圧される加圧板を具備し、前記加圧突起は、前記昇降部材が最後まで上昇した状態で、前記加圧板の上端に停止し、ユーザーのボタン部加圧による圧力を前記ポンピングガイド部材に伝達するように構成されることを特徴とする。
【００１４】
また、前記ポンピングガイド部材は、前記ポンピング部材の上部に結合して、内容物を移動させる内容物移動管を具備し、前記ポンピングガイド部材の加圧板内側には、前記内容物移動管と前記内容物移動ホールを連結させるように内容物移動通路が形成されることを特徴とする。
【００１５】
また、前記回転体の回転によって前記ボタン部が下降する過程で、前記ポンピングガイド部材の外周面と前記昇降部材の内周面が形成する空間が拡大されることにより、前記内容物吐出口の先端部に残留する内容物の吸入が行われるように構成することを特徴とする。
【００１６】
また、前記ボタン部の下端両側には、前記昇降部材と結合する結合突起を具備し、前記昇降部材には前記結合突起と結合する結合溝が形成されることを特徴とする。
【発明の効果】
【００１７】
以上のように、本発明によれば、回転体の回転によるボタン部の昇降の時に、容器本体は固定された状態で、ボタン部だけ昇降する構造で構成されることにより、製品の安定性を向上させることができるだけでなく、容器本体を単容器で構成することにより、製品の単価を下げることができる長所がある。
【００１８】
また、回転体の回転によりボタン部が下降する過程で、ポンピングガイド部材の外周面と昇降部材の内周面が形成する空間が拡大されることによって、ボタン部の吐出口先端部に残留する内容物の吸入が行われるように構成することにより、内容物の液もれを防止することができるという長所がある。
【図面の簡単な説明】
【００１９】
【図１】本発明の好ましい実施例に係るボタン出没式ディスペンサー容器の構成を示す分解斜視図である。
【図２】本発明の好ましい実施例に係るボタン出没式ディスペンサー容器の構成を示す組立斜視図である。
【図３】本発明の好ましい実施例に係るボタン出没式ディスペンサー容器の構成を示す組立断面図である。
【図４】本発明の好ましい実施例に係るボタン出没式ディスペンサー容器の作動状態を示す説明図である。
【図５】本発明の好ましい実施例に係るボタン出没式ディスペンサー容器の作動状態を示す説明図である。
【図６】本発明の好ましい実施例に係るボタン出没式ディスペンサー容器の作動状態を示す説明図である。
【図７】本発明の好ましい実施例に係るボタン出没式ディスペンサー容器の作動状態を示す説明図である。
【図８】本発明の好ましい実施例によるボタン出没式ディスペンサー容器の回転体の回転によるボタン部の下降の過程で、吐出口先端部の内容物が吸入される過程を示す説明図である。
【発明を実施するための形態】
【００２０】
以下、図面を参照して本発明を詳細に説明する。各図面に提示された同一の参照符号は、同一の部材を示す。
【００２１】
図１は、本発明の好ましい実施例に係るボタン出没式ディスペンサー容器の構成を示す分解斜視図であり、図２は本発明の好ましい実施例に係るボタン出没式ディスペンサー容器の構成を示した組立斜視図であり、図３は本発明の好ましい実施例に係るボタン出没式ディスペンサー容器の構成を示した組立断面図である。
【００２２】
図１〜３を参照すると、本発明の好ましい実施例に係るボタン出没式ディスペンサー容器は、容器本体１００、ポンピング部材２００、固定体３００、ポンピングガイド部材４００、回転体５００、昇降部材６００、ボタン部７００を含む。
【００２３】
容器本体１００は、内容物を貯蔵するものであり、その上部には固定体３００と結合し、内容物を排出する排出部１１０を具備し、内側には内容物の使用によって上昇するピストン１２０を具備する。
【００２４】
ポンピング部材２００は、容器本体１００の上部から固定体３００によって、排出部１１０に固定し設置され、ボタン部７００の加圧によるポンピング作用によって、容器本体１００に貯蔵した内容物を外部に吐出させるものであり、本発明が属する技術分野で公知技術なので、詳細な説明は省略する。
【００２５】
固定体３００は、容器本体１００の排出部１１０に結合して、昇降部材６００の昇降をガイドするものであり、排出部１１０に結合することができるように、内側中央部に中空が形成された結合部３１０を具備する。
【００２６】
本発明において、固定体３００の外周面には、昇降部材６００を昇降させる螺旋形溝３２０が形成されることが特徴であり、螺旋形溝３２０は、昇降部材６００のガイド突起６１０と結合して移動し、螺旋形溝３２０は、ガイド突起６１０を安定的に移動することができるように、両側面に対応する一対として形成されることが好ましい。
【００２７】
また、螺旋形溝３２０の上死点部分には、ガイド突起４１０が螺旋形溝３２０に沿って上昇した状態で、ガイド突起４１０がポンピングガイド溝３３０の直上方に進入する時に、ユーザーがこれを認知することができるように係止突起３２１を具備する。
【００２８】
一方、本発明において、螺旋形溝３２０の先端には、螺旋形溝３２０の上死点から下方向に延長されるポンピングガイド溝３３０が形成されることが特徴であり、ポンピングガイド溝３３０が形成されることにより、ボタン部７００が上昇した状態で、ボタン部７００の加圧及び加圧解除によってガイド突起４１０が昇降する空間が形成されることにより、ポンピング部材２００のポンピング作用ができる。
【００２９】
ポンピングガイド部材４００は、ポンピング部材２００の上部に結合し、ユーザー加圧による圧力をポンピング部材２００に伝達して、ポンピング部材２００のポンピング作用をガイドするものであり、ポンピング部材２００のポンピング作用によって、内容物が内容物吐出口７１０に移動することができるように、ポンピング部材２００の上部に結合して内容物を移動させる内容物移動管４２０を具備し、側面には内容物移動管４２０と連通する内容物移動ホール４１０が形成される。
【００３０】
本発明において、ポンピングガイド部材４００には、昇降部材６００の加圧突起６５０によって加圧される加圧板４３０を具備することが特徴であり、加圧板４３０は一対の加圧突起６５０によって加圧されることができるように、内容物移動管４２０を中心に両側に延長し形成され、内容物移動ホール４１０が形成された方向に延長される加圧板４３０の内側には、内容物移動管４２０と内容物移動ホール４１０を連結させるように内容物移動通路４３０が形成される。
【００３１】
回転体５００は、容器本体１００の上部から固定体３００を包んで回転できるように結合するものであり、ボタン部７００が挿入されて昇降することができるように中空５２０が形成される。
【００３２】
本発明において、回転体５００の内周面には、上部から下部まで長さ方向に沿って垂直ガイド溝５１０が形成されることが特徴であり、垂直ガイド溝５１０を介して昇降部材６００のガイド突起６１０が垂直移動するようにガイドすることにより、昇降部材６００の垂直移動が行われる。
【００３３】
昇降部材６００は、回転体５００の内側でポンピングガイド部材４００を包んで位置し、回転体５００の回転によって昇降するように構成されるものであり、本発明において、昇降部材６００の外周面両側には、昇降部材６００の昇降をガイドするように、螺旋形溝３２０及び垂直ガイド溝５１０に挿入されるガイド突起６１０が形成されることが特徴である。
【００３４】
ガイド突起６１０は、回転体５００の一方向回転の時には、螺旋形溝３２０及び垂直ガイド溝５１０に沿って上昇して昇降部材６００を上昇させ、回転体５００の他方向回転の時には、螺旋形溝３２０及び垂直ガイド溝５１０に沿って下降して昇降部材６００を下降させるように構成される。
【００３５】
一方、昇降部材６００の側面には、ポンピングガイド部材４００の内容物移動ホール４１０と連通する連通ホール６３０が形成されることが特徴であり、連通ホール６３０は昇降部材６００が下降した状態では内容物移動ホール４１０とずれるように位置し、昇降部材６００が上昇した状態で内容物移動ホール４１０と連通するように構成される。これにより、昇降部材６００が上昇した状態でだけ、内容物移動ホール４１０を介して吐出する内容物を連通ホール６３０を介して内容物吐出口７１０に移動することができるので、保管状態で内容物を吐出することを基本的に防止することができる。
【００３６】
また、昇降部材６００には、連通ホール６３０を介して吐出する内容物を内容物吐出口７１０に移動するようにガイドする内容物移動溝６４０が形成されることが特徴であり、内容物移動溝６４０は連通ホール６３０の上部で昇降部材６００の側面長さ方向に沿って内容物が移動する空間を形成するように構成される。
【００３７】
また、昇降部材６００の内部上側には、ポンピングガイド部材４００を加圧する加圧突起６５０を具備する。本発明において、加圧突起６５０は、図４に図示したように、昇降部材６００が下降した状態では、加圧板４３０の下部に位置し、昇降部材６００が回転によって最後まで上昇した状態では、加圧板４３０の上端に停止するように構成されることが特徴であり、昇降部材６００が上昇した状態で、ユーザーがボタン部７００を加圧する時に、加圧突起６５０が加圧板４３０を加圧して、ポンピングガイド部材４００が下降することにより、ポンピング部材２００のポンピング作用が行われる。
【００３８】
昇降部材６００の内側には、加圧突起６５０が加圧板４３０を持続的に加圧することによる変形が発生することを防止するように補強片６６０を具備することが好ましい。
【００３９】
一方、昇降部材６００には、ボタン部７００の結合突起７２０と結合する結合溝６２０が形成される。
【００４０】
ボタン部７００は、昇降部材６００を包んで結合して、昇降部材６００の昇降によって一緒に移動するものであり、下段両側には昇降部材６００の結合溝６２０に結合する結合突起７２０を具備する。
【００４１】
ボタン部７００は、内容物を外部に吐出するように、側面に内容物吐出ホール７１１が形成された内容物吐出口７１０を具備する。
【００４２】
以下では、図４〜７を参照して本発明の好ましい実施例に係るボタン出没式ディスペンサー容器の作動過程を説明する。
【００４３】
図４〜７を参照すると、ボタン部７００が下降した状態で、回転体５００を一方向に回転させると、昇降部材６００のガイド突起６１０が螺旋形溝３２０及び垂直ガイド溝５１０に沿って移動し、昇降部材６００を上昇させる。これにより、昇降部材６００と結合したボタン部７００が一緒に上昇し、回転体５００の上端から引き出されて、内容物吐出口７１０が外部に露出される。
【００４４】
前記のように、昇降部材６００及びボタン部７００が上昇した状態では、ポンピングガイド部材４００の内容物移動ホール４１０と昇降部材６００の連通ホール６３０が相互連通して、加圧突起６５０は、加圧板４３０の上端に停止した状態で位置する。この状態では、ユーザーがボタン部７００を加圧する時に、加圧突起６５０が加圧板４３０を加圧してポンピングガイド部材４００が下降することによってポンピング部材２００のポンピング作用が行われる。
【００４５】
前記のように、ポンピング部材２００のポンピング作用が行われると、内容物が内容物移動管４２０、内容物移動通路４３１、内容物の移動ホール４１０、連通ホール６３０、内容物移動溝６４０、内容物吐出口７１０を順次的に通過して内容物吐出ホール７１１を介して外部に吐出される。
【００４６】
以下では、図８を参照して、本発明の好ましい実施例に係るボタン出没式ディスペンサー容器の吐出口先端部に残留する内容物を吸入する過程を説明する。
【００４７】
図８を参照すると、ボタン部７００が上昇した状態で内容物の使用を完了すると、回転体５００を他方向に回転させることによって、ボタン部７００の下降が行われる。本発明において、回転体５００の回転によって、ボタン部７００の下降の時に、ポンピングガイド部材４００の外周面と昇降部材６００の内周面が形成する空間がＳ１からＳ２に拡大されることによって、拡大される空間くらい内容物吐出口７１０の先端部に残留する内容物の吸入が行われるように構成することが特徴である。
【００４８】
本発明は、前記のようにボタン部７００の下降の時に、内容物吐出口７１０の先端部に残留する内容物を吸入するように構成することにより、ボタン部７００が下降する過程で内容物吐出口７１０の先端部に残留する内容物が外部に吐出されて、容器を汚染させることを防止することができる。
【００４９】
図面と明細書で最適の実施例を開示した。ここで特定の用語を用いたが、これは単に本発明を説明するための目的で用いたものであり、意味の限定や特許請求の範囲に記載された本発明の範囲を制限するために用いたものではない。従って、当該技術分野の通常の知識を有する者であれば、多様な変形および均等な他の実施例が可能であることを理解すべきである。また、本発明の真の技術的保護範囲は、添付された特許請求の範囲の技術的思想によって定められる。
【符号の説明】
【００５０】
１００    容器本体
２００    ポンピング部材
３００    固定体
４００    ポンピングガイド部材
５００    回転体
６００    昇降部材
７００    ボタン部
【図１】
2018528906.tif 000003
【図２】
2018528906.tif 000004
【図３】
2018528906.tif 000005
【図４（ａ）】
2018528906.tif 000006
【図４（ｂ）】
2018528906.tif 000007
【図４（ｃ）】
2018528906.tif 000008
【図５】
2018528906.tif 000009
【図６】
2018528906.tif 000010
【図７】
2018528906.tif 000011
【図８（ａ）】
2018528906.tif 000012
【図８（ｂ）】
2018528906.tif 000013
【国際調査報告】
2018528906.tif 000014
2018528906.tif 000015
2018528906.tif 000016
2018528906.tif 000017